(57)【要約】【課題】例えば、フィルタの交換作業の頻度が低減する、あるいはフィルタの交換作業が不要となる構成の電子機器を得る。【解決手段】実施形態にかかる電子機器は、例えば、筐体と、ファンと、可動フィルタと、駆動部と、駆動制御部と、を備える。筐体には、吸気口および排気口が設けられる。ファンは、筐体内に設けられ、吸気口から吸入され排気口から排出される空気流を生成する。可動フィルタは、吸気口の吸気側および排気口の排気側に面する第一の面または吸気口の排気側および排気口の吸気側に面する第二の面を有し、少なくとも一部が吸気口と対向する第一の位置と排気口と対向する第二の位置との間で移動可能に設けられる。駆動部は、可動フィルタを移動させる。駆動制御部は、可動フィルタが移動するよう駆動部を制御する。【選択図】図２
2015198195.tif 000002
【特許請求の範囲】
【請求項１】
吸気口および排気口が設けられた筐体と、
前記筐体内に設けられ、前記吸気口から吸入され前記排気口から排出される空気流を生成するファンと、
前記吸気口の吸気側および前記排気口の排気側に面する第一の面または前記吸気口の排気側および前記排気口の吸気側に面する第二の面を有し、少なくとも一部が前記吸気口と対向する第一の位置と前記排気口と対向する第二の位置との間で移動可能に設けられた可動フィルタと、
前記可動フィルタを移動させる駆動部と、
前記可動フィルタが移動するよう前記駆動部を制御する駆動制御部と、
を備えた、電子機器。
【請求項２】
前記筐体は壁部を有し、
前記可動フィルタは前記壁部に沿って移動可能に設けられた、請求項１に記載の電子機器。
【請求項３】
前記可動フィルタは無端ベルト状に構成された、請求項１または２に記載の電子機器。
【請求項４】
前記ファンは、前記吸気口および前記排気口のうち一方と対向し、前記可動フィルタよりも前記一方の近くに位置された、請求項１〜３のうちいずれか一項に記載の電子機器。
【請求項５】
前記可動フィルタへの塵芥の付着度または当該付着度に対応して変化する物理量を検出する検出部、
をさらに備え、
前記駆動制御部は、前記検出部の検出結果に基づいて、少なくとも、前記可動フィルタが第一の速度で移動する第一の状態と、前記第一の状態よりも前記可動フィルタへの塵芥の付着度が大きくかつ前記可動フィルタが前記第一の速度よりも速い第二の速度で移動する第二の状態と、が生じるよう、前記駆動部を制御する、請求項１〜４のうちいずれか一項に記載の電子機器。
【請求項６】
前記可動フィルタへの塵芥の付着度または当該付着度に対応して変化する物理量を検出する検出部と、
前記ファンの回転速度を制御する回転速度制御部と、
をさらに備え、
前記回転速度制御部は、前記検出部の検出結果に基づいて、少なくとも、前記ファンが第一の回転速度で回転する第三の状態と、前記第三の状態よりも前記可動フィルタへの塵芥の付着度が大きくかつ前記ファンが前記第一の回転速度よりも速い第二の回転速度で回転する第四の状態と、が生じるよう、前記ファンを制御する、請求項１〜５のうちいずれか１項に記載の電子機器。
【発明の詳細な説明】
【技術分野】
【０００１】
本発明の実施形態は、電子機器に関する。
【背景技術】
【０００２】
従来、吸気口に可動フィルタが設けられた電子機器が知られている。
【先行技術文献】
【特許文献】
【０００３】
【特許文献１】特開２０１２−６６１９０号公報
【発明の概要】
【発明が解決しようとする課題】
【０００４】
上記従来の電子機器では、可動フィルタの未使用部分の残量が無くなった場合にはフィルタの交換作業が必要である。この種の電子機器では、フィルタの交換作業の頻度が低減する、あるいはフィルタの交換作業が不要となる構成が得られれば、有意義である。
【課題を解決するための手段】
【０００５】
実施形態にかかる電子機器は、例えば、筐体と、ファンと、可動フィルタと、駆動部と、駆動制御部と、を備える。筐体には、吸気口および排気口が設けられる。ファンは、筐体内に設けられ、吸気口から吸入され排気口から排出される空気流を生成する。可動フィルタは、吸気口の吸気側および排気口の排気側に面する第一の面または吸気口の排気側および排気口の吸気側に面する第二の面を有し、少なくとも一部が吸気口と対向する第一の位置と排気口と対向する第二の位置との間で移動可能に設けられる。駆動部は、可動フィルタを移動させる。駆動制御部は、可動フィルタが移動するよう駆動部を制御する。
【図面の簡単な説明】
【０００６】
【図１】図１は、第１実施形態にかかる電子機器の一例が示された斜視図である。
【図２】図２は、第１実施形態にかかる電子機器の内部の概略構成の一例が示された平面図である。
【図３】図３は、第１実施形態にかかる電子機器の一例が示されたブロック図である。
【図４】図４は、第１実施形態にかかる電子機器による可動フィルタの制御手順の一例が示されたフローチャートである。
【図５】図５は、第２実施形態にかかる電子機器の内部の概略構成の一例が示された平面図である。
【発明を実施するための形態】
【０００７】
以下、図面を参照して、実施形態について説明する。なお、以下の複数の実施形態には、同様の構成要素が含まれている。よって、以下では、同様の構成要素には共通の符号が付されるとともに、重複する説明が省略される。また、以下に示される実施形態の構成（技術的特徴）、ならびに当該構成によってもたらされる作用および結果（効果）は、一例である。
【０００８】
また、以下の実施形態では、電子機器がラックマウント型の産業用コンピュータとして構成された場合が例示されるが、本実施形態にかかる電子機器は、これには限定されない。本実施形態にかかる電子機器は、例えば、デスクトップ型のパーソナルコンピュータや、映像表示装置、テレビジョン受像機、ゲーム機、映像表示制御装置、情報記憶装置等、ファンを備えた種々の電子機器として構成されうる。
【０００９】
＜第１実施形態＞
図１，２に示されるように、電子機器１は、基板３や、ファン４等が収容された筐体２を備える。筐体２は、直方体状に構成されている。なお、筐体２は、平面視では長方形状に構成されている。筐体２は、複数の壁部２ａ〜２ｃを有する。本実施形態では、複数の壁部２ａ〜２ｃのうちいずれか一つの壁部（例えば、壁部２ｃ）が、平面に沿った姿勢で使用されうる。なお、以下の詳細な説明では、便宜上、壁部２ｃが平面に沿った姿勢を基準として方向を規定する。Ｘ方向は、筐体２の長手方向、Ｙ方向は、筐体２の短手方向、Ｚ方向は、筐体２の高さ方向（厚さ方向、上下方向）である。Ｘ方向、Ｙ方向、およびＺ方向は、互いに直交している。
【００１０】
壁部２ａは、筐体２の長手方向（Ｘ方向）に間隔をあけて互いに平行に設けられた壁部２ａ１および壁部２ａ２を含む。壁部２ａ１および壁部２ａ２は、いずれも、筐体２の長手方向（Ｘ方向）と交差する方向（本実施形態では、例えば直交する方向、ＹＺ平面）に沿って延びている（拡がっている）。また、壁部２ｂは、筐体２の短手方向（Ｙ方向）に間隔をあけて互いに平行に設けられた壁部２ｂ１および壁部２ｂ２を含む。壁部２ｂ１および壁部２ｂ２は、いずれも、筐体２の短手方向（Ｙ方向）と交差する方向（本実施形態では、例えば直交する方向、ＸＺ平面）に沿って延びている（拡がっている）。壁部２ａや壁部２ｂは、側壁部等と称されうる。また、壁部２ｃは、筐体２の高さ方向（Ｚ方向）に間隔をあけて互いに平行に設けられた壁部２ｃ１および壁部２ｃ２を含む。壁部２ｃ１および壁部２ｃ２は、いずれも、筐体２の高さ方向（Ｚ方向）と交差する方向（本実施形態では、例えば直交する方向、ＸＹ平面）に沿って延びている（拡がっている）。壁部２ｃのうち一方（例えば、壁部２ｃ１）は下壁部（底壁部）等と称され、他方（例えば、壁部２ｃ２）は上壁部（天壁部）等と称されうる。複数の壁部２ａ〜２ｃは、それぞれ、外面２ｇと、内面２ｈと、を有する。
【００１１】
また、筐体２は、複数の部品（分割体）が組み合わせられて構成されうる。具体的には、本実施形態では、例えば、筐体２は、少なくとも壁部２ａ，２ｂおよび壁部２ｃのうち一方（例えば、壁部２ｃ１）を含む第一筐体部材２Ａ（第一のケース、下ケース）と、少なくとも壁部２ｃのうち他方（例えば、壁部２ｃ２）を含む第二筐体部材２Ｂ（第二のケース、上ケース、カバー）と、を有する。第一筐体部材２Ａと第二筐体部材２Ｂとは、例えば、結合具（例えば、ねじ）によって互いに結合（一体化）されている。第一筐体部材２Ａや第二筐体部材２Ｂは、例えば、合成樹脂材料や、金属材料等で構成されうる。
【００１２】
また、壁部２ａおよび壁部２ｂ（側壁部）には、それぞれ、通気口１１〜１４が設けられている。通気口１１〜１４は、例えば、壁部２ａ，２ｂの、それぞれの少なくとも一部に密集した複数の開口部１１ａ〜１４ａ（例えば、貫通孔）によって、構成されている。また、通気口１１〜１４は、壁部２ａ，２ｂに設けられた開口部１１ａ〜１４ａがメッシュ等で覆われることによって構成されうる。本実施形態では、通気口１１が吸気口として機能し、他の通気口１２〜１４が排気口として機能する。通気口１１の開口面積は、例えば、他の通気口１２〜１４の開口面積の合計と略同じに設定されている。
【００１３】
ファン４は、翼部４ａ（羽根部、羽根車）や、翼部４ａを回転させるモータ（図示されず）等によって構成されている。ファン４は、他の通気口１２〜１４よりも通気口１１の近くに設けられている。ファン４は、間隔をあけて通気口１１と対向（正対）している。ファン４が回転することにより、ファン４には、図２の上方向の気流が生じる。よって、ファン４の近くで対向する通気口１１は吸気口となる。また、ファン４の回転により、筐体２内の圧力が高まるので、他の通気口１２〜１４は、排気口として機能する。通気口１１と通気口１２とは、ファン４の軸方向（Ｙ方向）に重なっている。よって、通気口１２から排出される空気の流量は高くなりやすい。なお、通気口１３と通気口１４とは、ファン４の軸方向（Ｙ方向）と交差する方向（Ｘ方向）に互いに重なっている。本実施形態では、ファン４は、通気口１１から吸入され通気口１２〜１４から排出される空気流Ｗを生成する。空気流Ｗは、通気口１２から排出される第一の空気流Ｗ１と、通気口１３，１４から排出される第二の空気流Ｗ２と、を含む。空気流Ｗによって、例えば、基板３に実装された発熱体（部品、電子部品、電気部品、発熱部）や、放熱機構（放熱部、受熱部、ヒートシンク）等を冷却することができる。
【００１４】
そして、本実施形態では、図２に示されるように、筐体２内に、可動フィルタ６が設けられている。可動フィルタ６は、無端ベルト状（ロール状、ベルトコンベア状）に構成され、平面視で筐体２の四隅に配置された四つのローラ５に掛け回され、筐体２の壁部２ａ，２ｂに沿って延びている。可動フィルタ６は、ローラ５の回動に伴って、壁部２ａ，２ｂに沿って動く。四つのローラ５のうち少なくとも一つは駆動部（主動部）として機能し、他は従動部として機能することができる。全てのローラ５が駆動部であってもよい。可動フィルタ６は、その全周に亘って、所定のメッシュサイズを有した防塵フィルタとして構成されている。
【００１５】
上記構成では、可動フィルタ６の全周のうち、通気口１１〜１４と対向している領域（部分）のみが、実質的にフィルタとして機能する。可動フィルタ６のうち、壁部２ａ，２ｂと対向している領域は、実質的にはフィルタとして機能しない。上述したように、可動フィルタ６は、壁部２ａ，２ｂに沿って移動するため、通気口１１〜１４と対向している領域、すなわち、フィルタとして機能する領域が変化する。可動フィルタ６は、壁部２ａ，２ｂと対向する（面する）外周面６ａと、壁部２ａ，２ｂとは反対側（筐体２中心部側）の内周面６ｂと、を有する。外周面６ａは、通気口１１〜１４の内側に面している（を覆っている）。空気流Ｗは、通気口１１で筐体２内に流入し、他の通気口１２〜１４で筐体２外に流出する。このため、可動フィルタ６の外周面６ａのうち、通気口１１と対向する領域は、空気流Ｗの上流側となり、可動フィルタ６の外周面６ａのうち、通気口１２〜１４と対向する領域は、空気流Ｗの下流側となる。可動フィルタ６の外周面６ａが上流側となる場合には、可動フィルタ６によってトラップされた付着物が当該外周面６ａに付着し、外周面６ａが下流側となる場合には、可動フィルタ６でトラップされて当該外周面６ａに付着している付着物が排出される。すなわち、本実施形態の構成によれば、吸気口として機能する通気口１１で外周面６ａにトラップされた付着物は、可動フィルタ６が移動して当該付着物が通気口１２〜１４のいずれかと対向した位置で、排気口として機能する通気口１２〜１４から排出されることになる。このように、本実施形態では、自動清浄機能を備えた可動フィルタ６を構成することができる。なお、排気口として機能する通気口１２〜１４の開口面積の合計を、吸気口として機能する通気口１１の開口面積より小さくすることで、通気口１２〜１４での流速を高め、付着物の排出性を高めることができる。
【００１６】
図３に示されるように、電子機器１は、例えば、入力部１５や、検出部１６、記憶部１７、制御部１８、出力部１９等を有する。入力部１５は、例えば、キーボード等であり、検出部１６は、例えば、温度センサや、赤外線センサ、カメラモジュール等である。検出部１６は、可動フィルタ６への塵芥（付着物）の付着度または付着度に対応して変化する物理量（以下、単に物理量と称される）を検出し、その検出結果（検出値）を制御部１８に送る。物理量は、例えば、温度センサによって検出された筐体２内の温度や、赤外線センサによって検出された可動フィルタ６の照度、カメラモジュールによって撮像された画像から得られた可動フィルタ６の透過度等、である。温度は、付着度が高いほど高く、照度や透過度は、付着度が高いほど低い。制御部１８（判定部２１）は、物理量の検出値または物理量に対応して設定されたパラメータを用いて、判定を行う。ここでは、パラメータによる演算が例示される。パラメータは、判定に用いる変数であって、少なくとも一つの物理量の検出値に対応して設定することができる。可動フィルタ６の制御には、一つの物理量の検出値またはそれに対応したパラメータを用いるのが簡単であるが、場合によっては、複数の物理量の検出値から選択的にパラメータを使用したり、複数の物理量の検出値からパラメータを算出したりすることができる。パラメータは、例えば、付着度が高いほど、大きくなるように設定される。この場合、付着度が高いほど検出値が低くなる物理量については、例えば、当該物理量の逆数をパラメータとすればよい。
【００１７】
記憶部１７や、制御部１８等は、例えば、基板３（制御基板、回路基板）に実装されている。ファン４、およびローラ５（駆動部）は、それぞれコントローラ２５，２６を介して制御部１８と接続されている。記憶部１７は、例えばＲＯＭ（Read  Only  Memory）やＲＡＭ（Random  Access  Memory）等の主記憶装置（図示されず）と、例えばフラッシュメモリ等の補助記憶装置（図示されず）と、を有する。記憶部１７と制御部１８とは、バスを介して電気的に接続されている。記憶部１７は、予め記憶されたパラメータの境界条件（閾値）を記憶する。制御部１８は、例えば、ＣＰＵ（Central  Processing  Unit）等によって構成されうる。制御部１８は、ハードウェアとソフトウェア（プログラム）との協働により、図３に示されるような、判定部２１や、駆動制御部２２、回転速度制御部２３、出力制御部２４等として機能（動作）することができる。制御部１８は、記憶部１７（例えばＲＯＭやフラッシュメモリ等）にインストールされたプログラムを読み出して、当該プログラムにしたがって処理を実行する。出力部１９は、例えば、スピーカ若しくはブザー等の音声出力部や、ランプ若しくはＬＥＤ（Light  Emitting  Diode）等の発光部である。出力部１９は、コントローラ２７を介して制御部１８と接続されている。なお、入力部１５や出力部１９は、所謂外付け装置であってもよい。
【００１８】
ここで、図４が参照されて、可動フィルタ６を備えた電子機器１の動作の一例が説明される。まず、制御部１８は、駆動制御部２２として機能し、可動フィルタ６が第一の速度Ｖ１で移動するよう（Ｖｆｉ＝Ｖ１、Ｖｆｉ：可動フィルタ６の移動速度）、コントローラ２６を制御する（Ｓ１０）。また、Ｓ１０では、制御部１８は、回転速度制御部２３として機能し、ファン４が第一の回転速度Ｒ１で回転するよう（Ｒｆａ＝Ｒ１、Ｒｆａ：ファン４の回転速度）、コントローラ２５を制御する。本実施形態では、可動フィルタ６は、常時、筐体２内を移動（周回）するよう構成されている。Ｓ１０は、可動フィルタ６の第一の状態の一例であり、かつ、ファン４の第三の状態の一例である。
【００１９】
次に、制御部１８は、判定部２１として機能し、パラメータが、対応する閾値を超えているか否かの判定を行う（Ｓ１１）。パラメータが、閾値よりも高い場合、すなわち、付着度が当該付着度の閾値よりも高い場合（Ｓ１１でＹｅｓ）、制御部１８は、駆動制御部２２として機能し、例えば、所定期間、可動フィルタ６が第一の速度Ｖ１よりも速い第二の速度Ｖ２（Ｖ２＞Ｖ１）で移動するよう（Ｖｆｉ＝Ｖ２）、コントローラ２６を制御する。このとき、ファン４の回転速度Ｒｆａは、第一の回転速度Ｒ１で維持される（Ｓ１２）。Ｓ１２は、可動フィルタ６の第二の状態の一例であり、かつ、ファン４の第三の状態の一例である。Ｓ１１でＮｏの場合、Ｓ１０へ戻る。
【００２０】
Ｓ１２の後、制御部１８は、判定部２１として機能し、パラメータが、対応する閾値よりも低下したか否かの判定を行う（Ｓ１３）。パラメータが、閾値よりも高い場合、すなわち、付着度が当該付着度の閾値よりも高い場合（Ｓ１３でＮｏ）、制御部１８は、回転速度制御部２３として機能し、例えば、所定期間、ファン４が第一の回転速度Ｒ１よりも速い第二の回転速度Ｒ２（Ｒ２＞Ｒ１）で回転するよう（Ｒｆａ＝Ｒ２）、コントローラ２５を制御する。このとき、可動フィルタ６の移動速度Ｖｆｉは、第二の速度Ｖ２で維持される（Ｓ１４）。Ｓ１４は、可動フィルタ６の第二の状態の一例であり、かつ、ファン４の第四の状態の一例である。Ｓ１３でＹｅｓの場合、Ｓ１０へ戻る。
【００２１】
Ｓ１４の後、制御部１８は、判定部２１として機能し、パラメータが、対応する閾値よりも低下したか否かの判定を行う（Ｓ１５）。パラメータが、対応する閾値よりも高い場合、すなわち、付着度が当該付着度の閾値よりも高い場合（Ｓ１５でＮｏ）、制御部１８は、出力制御部２４として機能し、出力部１９が音声や表示による警報出力を行うよう、コントローラ２７を制御する（Ｓ１６）。出力部１９は、筐体２内の温度が当該温度の閾値を超えていることを作業者等に知らせる報知部として機能することができる。Ｓ１５でＹｅｓの場合、Ｓ１０へ戻る。
【００２２】
以上のように、本実施形態では、例えば、電子機器１は、少なくとも一部が通気口１１（吸気口）と対向する第一の位置Ｐ１（図２参照）と通気口（例えば、通気口１２（排気口））と対向する第二の位置Ｐ２（図２参照）との間で移動可能に設けられた可動フィルタ６を備える。よって、本実施形態によれば、例えば、可動フィルタ６の移動により、通気口１１を介して可動フィルタ６に付着した付着物を、ファン４の空気流Ｗを利用して通気口１２から排出する（除去する）ことができる。よって、例えば、フィルタの交換作業の頻度が低減されたり、あるいはフィルタの交換作業が不要となったりしやすい。
【００２３】
また、本実施形態では、例えば、通気口１１（吸気口）の開口面積は、他の通気口１２〜１４（排気口）の開口面積よりも大きく設定（構成）されている。よって、本実施形態によれば、他の通気口１２〜１４での流速が高まりやすく、これにより、当該通気口１２〜１４で、付着物がより除去されやすい。また、本実施形態では、例えば、ファン４の軸方向に通気口１２（排気口）が設けられている。よって、当該通気口１２での流速がより高まりやすく、当該通気口１２で、付着物がより除去されやすい。また、本実施形態では、例えば、通気口１１（吸気口）と通気口１２（排気口）との対が、平面視で長方形状の長辺部に位置した壁部２ｂに設けられている。よって、例えば、通気口１１（吸気口）と通気口１２（排気口）との対が平面視で長方形状の短辺部に位置した壁部２ａに設けられた構成と比べて、ファン４と通気口１２との間の距離が短くなりやすい。よって、通気口１２での流速がより高まりやすく、当該通気口１２で、付着物がより除去されやすい。
【００２４】
また、本実施形態では、例えば、可動フィルタ６は、筐体２の壁部２ａ，２ｂに沿って移動可能に設けられている。よって、本実施形態によれば、例えば、可動フィルタ６や、可動フィルタ６を移動させるローラ５（駆動部）が、よりコンパクトな構成で実現されやすい。また、筐体２の内側に、可動フィルタ６以外の電子機器１用の部品のスペースが、より広い領域として確保されやすい。
【００２５】
また、本実施形態では、例えば、可動フィルタ６は、無端ベルト状に構成されている。よって、本実施形態によれば、例えば、可動フィルタ６や、可動フィルタ６を移動させるローラ５（駆動部）が、より簡単な構成で実現されやすい。
【００２６】
また、本実施形態では、例えば、可動フィルタ６は、付着物（塵芥等）の付着度が大きい場合に、第一の速度Ｖ１よりも速い第二の速度Ｖ２で移動することができる。よって、本実施形態によれば、例えば、通気口１１を介して可動フィルタ６に付着した付着物が、通気口１２〜１４のそれぞれと対向する第二の位置Ｐ２に、より迅速に移動されやすくなる。よって、例えば、付着物が通気口１２〜１４からより排出されやすい。よって、例えば、筐体２内の温度がより低くなりやすい。また、例えば、可動フィルタ６がより速い第二の速度Ｖ２で移動している状態では、可動フィルタ６に付着物が付着しにくいという利点もある。
【００２７】
また、本実施形態では、例えば、ファン４は、可動フィルタ６への付着物（塵芥等）の付着度が大きい場合に、第一の回転速度Ｒ１よりも速い第二の回転速度Ｒ２で回転することができる。よって、本実施形態によれば、例えば、通気口１２〜１４から排出される空気流Ｗの流量（風量）が増えやすい。よって、例えば、可動フィルタ６に付着した付着物が通気口１２〜１４からより効果的に排出されやすい。
【００２８】
なお、本実施形態では、可動フィルタ６が常時移動する構成であったが、検出部１６の検出値が閾値を超えた場合に、停止状態の可動フィルタ６を通気口１１（吸気口）と対向する第一の位置Ｐ１から通気口（例えば、通気口１２（排気口））と対向する第二の位置Ｐ２に移動させる構成であってもよい。
【００２９】
また、本実施形態では、筐体２内に、一つのファン４が設けられたが、複数のファン４が設けられてもよい。この場合には、例えば、通気口１２に風を当てる第一のファンに加えて、通気口１３や通気口１４に風を当てる第二のファンが設けられてもよい。また、この場合、第一のファンと、第二のファンとが、互いに異なるスペック（例えば、大きさ等）で構成されてもよい。
【００３０】
また、筐体２は、可動フィルタ６の壁部２ａ，２ｂとは反対側（筐体２中心部側）で当該壁部２ａ，２ｂに沿った壁部（隔壁部、仕切壁、分離壁）を有してもよい。この場合、塵芥等の、壁部（隔壁部）の可動フィルタ６とは反対側、すなわち筐体２中心部側への侵入がより一層抑制されやすい。よって、例えば、筐体２内に侵入した塵芥等による影響が低減されやすい。
【００３１】
また、可動フィルタ６の外周面６ａにトラップされた塵芥が、排気前に落下して堆積するのを抑制するために、筐体２内に可動フィルタ６用のレーンを設け、かつ可動フィルタ６の下部をブラシ状とすることで、レーン上に落下した塵芥を可動フィルタ６の移動とともに送り出すよう構成してもよい。また、この場合、送り出された塵芥が、通気口１２〜１４（排気口）にて空気流Ｗとともに排出されるレーン形状とするのが好ましい。
【００３２】
また、本実施形態では、可動フィルタ６が、筐体２の内側に設けられたが、筐体２の外側に設けられてもよい。この場合、可動フィルタ６は、壁部２ａ，２ｂと対向し、通気口１１の外側（吸気側）および通気口１２〜１４の外側（排気側）に面する内周面を有する。当該内周面は、第一の面の一例である。
【００３３】
また、制御部１８が、検出部１６の検出結果に基づいて、少なくとも、通気口１１から吸入され通気口１２から排出される空気流を生成する状態と、その状態よりも通気口１１への塵芥の付着度が大きくかつ通気口１２から吸入され通気口１１から排出される空気流を生成する状態と、が生じるよう、ファン４を制御する構成であってもよい。この場合、制御部１８は、例えば、ファン４の回転方向を切り替える回転方向制御部や、一方の空気流を生成する第一のファン、および他方の空気流を生成する第二のファンの駆動と駆動停止とを切り替える電源制御部等を含むことができる。また、この場合には、可動フィルタ６は設けなくてもよい。
【００３４】
＜第２実施形態＞
図５に示される実施形態にかかる電子機器１Ａは、上記第１実施形態の電子機器１と同様の構成を備えている。よって、本実施形態によっても、上記第１実施形態と同様の構成に基づく同様の結果（効果）が得られる。
【００３５】
ただし、本実施形態では、例えば、図５に示されるように、ファン３４が、可動フィルタ６よりも通気口１１の近く、すなわち可動フィルタ６の外側（筐体２中心部とは反対側）に位置されている。ファン３４は、基板３（制御部１８、図３参照）と電気的に接続され、可動フィルタ６への塵芥の付着度に応じた動作の制御が行われる。また、本実施形態では、例えば、壁部２ｂ１は、開口部２８ａが設けられた基部２８と、基部２８の開口部２８ａを着脱可能に覆うカバー２９と、を有する。本実施形態によれば、ファン３４が可動フィルタ６の外側にあるため、開口部２８ａを介してファン３４の交換作業等を容易に行うことができる。よって、本実施形態によれば、例えば、上記第１実施形態の構成と比べて、寿命部品である（交換作業が必要である）ファン３４のメンテナンスの手間が減りやすい。
【００３６】
以上、本発明の実施形態を例示したが、上記実施形態はあくまで一例であって、発明の範囲を限定することは意図していない。これら実施形態は、その他の様々な形態で実施されることが可能であり、発明の要旨を逸脱しない範囲で、種々の省略、置き換え、組み合わせ、変更を行うことができる。これら実施形態は、発明の範囲や要旨に含まれるとともに、特許請求の範囲に記載された発明とその均等の範囲に含まれる。本発明は、上記実施形態に開示される構成以外によっても実現可能であるとともに、基本的な構成（技術的特徴）によって得られる種々の効果（派生的な効果も含む）を得ることが可能である。また、各構成要素のスペック（構造や、種類、方向、形状、大きさ、長さ、幅、厚さ、高さ、数、配置、位置、材質等）は、適宜に変更して実施することができる。
【符号の説明】
【００３７】
１，１Ａ…電子機器、２…筐体、２ａ，２ｂ，２ｃ…壁部、３…基板、４，３４…ファン、５…ローラ（駆動部）、６…可動フィルタ、６ａ…外周面（第二の面）、１１…通気口（吸気口）、１２〜１４…通気口（排気口）、１６…検出部、２２…駆動制御部、２３…回転速度制御部、Ｐ１…第一の位置、Ｐ２…第二の位置、Ｖ１…第一の速度、Ｖ２…第二の速度、Ｒ１…第一の回転速度、Ｒ２…第二の回転速度、Ｗ…空気流。
【図１】
2015198195.tif 000003
【図２】
2015198195.tif 000004
【図３】
2015198195.tif 000005
【図４】
2015198195.tif 000006
【図５】
2015198195.tif 000007